(57)【要約】  注入装置は、装置が起動される毎に薬剤供給機構によってインクリメントされるカウンタホイールを備える。本装置は、最後の薬剤が供給されたときにさらなる使用を防止するための最終薬剤停止機構を備える。混入防止特徴が、不注意のまたは不完全な装置の始動を防止するために、設けられている。【選択図】図１
2013512714.tif 000002
【特許請求の範囲】
【請求項１】
薬剤を供給する駆動部材（３２）の移動を動作毎に可能とするように動作可能な駆動機構（１４）と、
薬剤の供給毎にインクリメントされるために、前記駆動部材（３２）に駆動可能に連結されたカウンタ部材（５４）と、を備える、注入装置。
【請求項２】
前記駆動部材（３２）は、回転移動するように取り付けられ、薬剤を供給するように回転する、請求項１に記載の注入装置。
【請求項３】
前記駆動機構は、細長い駆動プランジャ（４２）を有し、
前記駆動プランジャ（４２）は、前記駆動部材（３２）と螺合し、前記駆動部材（３２）が対応する回転移動をしたときに薬剤を供給するために長手方向に前進するように構成されている、請求項２に記載の注入装置。
【請求項４】
前記カウンタ部材は、遊び歯車（５８）と係合する、歯付き表面（６０）を含むカウンタホイール（５４）を有し、
前記駆動部材は、前記遊び歯車（５８）の歯と係合するための１以上の歯（４６）を有し、薬剤を供給する毎に前記カウンタホイール（５４）をインクリメントする、請求項２または３に記載の注入装置。
【請求項５】
前記駆動部材の歯（４６）は、薬剤の供給毎に一度、前記遊び歯車（５８）と間欠的に係合する、請求項４に記載の注入装置。
【請求項６】
前記カウンタ部材（５４）は、薬剤供給サイクルを通して部分的にインクリメントされる、請求項１〜５のいずれか１項に記載の注入装置。
【請求項７】
前記駆動機構（１４）は、前記駆動部材（３２）に関連付けられたエネルギー蓄積装置（３４）にエネルギーを与えるために手動で移動される薬剤設定要素（１６）と、
前記駆動部材を、エネルギーが与えられた状態に保持し、且つ、エネルギーが与えられた状態から開放する、開放可能なトリガ（１８）と、を有する、請求項１〜６のいずれか１項に記載の注入装置。
【請求項８】
前記駆動プランジャが最終投薬位置に移動した後に、前記薬剤設定要素（１６）の移動を阻止し、さらなる薬剤の設定が行われることを防ぐ最終投薬機構（６０、６２）を備える、請求項３に従属する場合の請求項７に記載の注入装置。
【請求項９】
前記駆動機構（１４）は、前記薬剤設定要素（１６）とともに回転し、または、前記薬剤設定要素（１６）と一体的に組み込まれた駆動伝達要素（２４）を有し、
前記駆動伝達要素（２４）は、ラッチ機構（２６、３０）によって前記駆動部材（１８）に連結可能であり、
前記駆動伝達要素（２４）および前記プランジャ（４２）は、それぞれの当接部（６０、６２）と関連し、
前記当接部（６０、６２）は、前記駆動プランジャ（４２）が最終投薬位置に向けて前進したときに、ブロック配置へと移動し、さらなる薬剤設定動作を実質的に防止する、請求項８に記載の注入装置。
【請求項１０】
前記駆動部がエネルギーを与えられた位置にあるときに、外部から視認可能な色変化インジケータを備える、請求項７〜９のいずれか１項に記載の注入装置。
【請求項１１】
固定量の薬剤を供給するように構成された、請求項１〜１０のいずれか１項に記載の注入装置。
【請求項１２】
調整可能な量の薬剤を供給する、請求項１〜１０のいずれか１項に記載の注入装置。
【請求項１３】
細長いネジ加工されたプランジャ（４２）と螺合して、薬剤を供給するために前記細長いプランジャ（４２）を前進させる回転式駆動ギア（３２）と、
付勢力に反して、静止位置から、前記回転式駆動ギア（３２）にラッチする、エネルギーが与えられた位置まで角度的に移動可能な回転式薬剤設定要素（１６、２４）と、
回転移動のために前記駆動ギアを保持し、開放するように構成されたトリガ機構（１８）と、を備える注入装置であって、
前記駆動プランジャ（４２）および前記薬剤設定要素（１６、２４）と関連付けられたそれぞれの当接部（６０、６２）は、前記細長いプランジャ（４４）が連続的な投薬の後に最終投薬位置に前進したときに、ブロック配置へと移動し、前記回転式薬剤設定要素がラッチされてエネルギーが与えられる状態へ復帰するのを防止することを特徴とする、注入装置。
【請求項１４】
前記当接部は、細長いプランジャ（４４）上、および前記薬剤設定要素（１６、２４）上の、協働可能なそれぞれの突起（６０、６２）を含み、
前記突起（６０、６２）は、前記薬剤設定要素の回転を制限するように協働する、請求項１３に記載の注入装置。
【請求項１５】
薬剤を供給する前の初期ステップにおいて、互いに対して移動するように構成された、２つの相対移動可能な可動部（１０、１２）を有するハウジングと、
混入防止機構（７０、７６等）であって、該混入防止機構が開放される前の前記相対移動を防止する、混入防止機構と、を備える、請求項１〜１４のいずれか１項に記載の注入装置。
【請求項１６】
前記混入防止機構は、取り外し可能なパッケージ（７０、７２）を有し、
前記パッケージ（７０、７２）は、前記装置の少なくとも一部を収容し、前記パッケージを取り外す前における初期移動に対して前記可動部を保持するように構成される、請求項１５に記載の注入装置。
【請求項１７】
前記混入防止機構は、前記初期移動を防止するように配置され、且つ、前記装置から取り外し可能なスペーサ要素を有する、請求項１６に記載の注入装置。
【請求項１８】
前記取り外し可能なスペーサ要素は、引き剥がしバンド（７６）を含む、請求項１７に記載の注入装置。
【請求項１９】
前記取り外し可能なスペーサ要素は、引き剥がしラベル（７８）を含む、請求項１７に記載の注入装置。
【請求項２０】
前記取り外し可能なスペーサ要素（８０）は、前記ハウジング部材のうちの１つと一体的に形成されている、請求項１７に記載の注入装置。
【請求項２１】
薬剤を供給する動作の前の初期ステップにおいて、互いに対して移動するように構成された、２つの相対移動可能な可動部（１０、１２）を有するハウジングと、
混入防止機構（７０、７６等）であって、該混入防止機構が開放される前の前記相対移動を防止する、混入防止機構と、を備える、注入装置。
【発明の詳細な説明】
【技術分野】
【０００１】
本発明は、注入装置に関し、限定的ではないが、特に、多くの薬を単一のカートリッジまたは注射器から一定期間に亘って供給可能とするように構成された注入装置に関する。
【背景技術】
【０００２】
多くの治療において、薬剤を、日毎、または他の時間的間隔で注入する必要がある。使用者は、自身が特定の薬剤を摂取したか否かについて明確に記憶していないので、潜在的な課題が生じる。それ故に、このような装置においては、特定の期間に使用者が薬を摂取したか否かを示す、インクリメントカウンタまたは日付インジケータを提供する必要がある。また、固定量の薬剤が時間毎に供給される場合、使用者が、効果のない、または不完全な薬剤を不注意により摂取してしまうことを防止するために、使用可能な薬剤が全て摂取されたときに、使用者に報知可能であることが、特に望ましい。様々な薬剤装置において、ユーザが注入したい薬剤のユニットの数でダイヤルすることを可能とするカウンタディスプレイを提供することは、一般的ではあるが、これらのディスプレイは、供給される薬剤の量のみを表示し、薬剤注入の完了時にゼロに戻ってしまう。これらディスプレイは、薬剤処方カウント、すなわち、装置によって処方された、注入薬剤の累積量を示すものではない。
【発明の概要】
【発明が解決しようとする課題】
【０００３】
欧州特許出願ＥＰ−Ａ−１４６３５５０号公報において、出願人は、薬剤設定要素に対する動作停止連結を有する薬剤カウンタ部材を備えた、注入装置用の薬剤処方カウンタについて説明している。この装置によれば、使用者が、装置を起動する前に投薬量を設定するので、薬剤処方カウンタは、薬剤を作製するユニットの数に関わらず、１カウントでインクリメントされる。これは優良な設計ではあるが、実際の薬剤の供給よりもむしろ、薬剤の設定においてカウントをインクリメントするものである。したがって、使用者が薬剤の設定と薬剤の供給との間で混同してしまった場合、薬剤処方カウンタは、その期間に係る薬剤が既に摂取されたことを示唆してしまう可能性がある。また、装置が最後の利用可能な薬剤を供給するように起動された後、薬剤設定ノブが、例えその後の装置の起動によって適切な薬剤が供給されないとしても、さらなる薬剤を設定するように回転され得る。
【０００４】
したがって、出願人は、カウンタ部材が、薬剤を供給する駆動部材の動作に応じてインクリメントされ、これにより、薬剤の設定よりもむしろ薬剤の供給によってインクリメントされる注入装置を設計した。
【課題を解決するための手段】
【０００５】
一態様において、本発明は、薬剤を供給する駆動部材の移動を動作毎に可能とするように動作可能な駆動機構と、薬剤の供給毎にインクリメントされるために、駆動部材に駆動可能に連結されたカウンタ部材とを備える注入装置を提供する。
【０００６】
この構成においては、累積薬剤のカウントが、薬剤量に関わらず、使用を示す単一の均一量によりカウンタをインクリメントすることによって、維持され得る。
【０００７】
移動が線形的になり得るが、上記駆動部材が回転移動するように取り付けられ、薬剤を供給するように回転することが望ましい。したがって、駆動構造は、細長い駆動プランジャ（４２）を有してもよく、該駆動プランジャは、駆動部材と螺合し、駆動部材が対応する回転移動をしたときに薬剤を供給するために長手方向に前進するように構成されている。
【０００８】
薬剤の供給が、インクリメントもしくは作動する、または、カウンタ機構が適切な動作の変換によってインクリメントする、多くの方法がある。例えば、カウンタ部材は、遊び歯車と係合する、歯付き表面を含むカウンタホイールを有し、駆動部材は、遊び歯車の歯部と係合するための１以上の歯部を有し、薬剤を供給する毎にカウンタホイールをインクリメントする。駆動部材の歯部は、遊び歯車またはカウンタホイール自身と継続的に係合してもよいが、好ましくは、駆動部材の歯部は、薬剤の供給毎に一度、遊び歯車と間欠的に係合する。インクリメントが薬剤の供給サイクルの間の如何なる時でも発生し得るものであるが、カウンタ部材は、薬剤供給サイクルを通して部分的にインクリメントされることが望ましい。代替的に、他の構成が用いられてもよく、ここでは、薬剤供給機構またはそのコンポーネントの移動が、薬剤供給の間、または薬剤供給完了の１ユニットで、カウンタをインクリメントするために使用される。これは、プランジャとカウンタとの相互作用、または、薬剤供給機構の１以上の如何なるコンポーネントの間における同様の相互作用によって、起動され得る。
【０００９】
便利には、駆動機構は、駆動部材に関連付けられたエネルギー蓄積装置にエネルギーを与えるために手動で移動される薬剤設定要素と、駆動部材を、エネルギーが与えられた状態に保持し、且つ、エネルギーが与えられた状態から開放する、開放可能なトリガとを有する。
【００１０】
注入装置は、便利には、駆動プランジャが最終投薬位置に移動した後に、薬剤設定要素の移動を阻止し、さらなる薬剤の設定が行われることを防ぐ最終投薬機構を備える。
【００１１】
駆動機構は、薬剤設定要素とともに回転し、または、薬剤設定要素と一体的に組み込まれた駆動伝達要素を有する。駆動伝達要素は、ラッチ機構によって駆動部材に連結可能である。駆動伝達要素およびプランジャは、それぞれの当接部と関連しており、当接部は、駆動プランジャが最終投薬位置に向けて前進したときに、ブロック配置へと移動し、さらなる薬剤設定動作を実質的に防止する。
【００１２】
本装置は、固定量の薬剤を供給するように構成され、または、調整可能な量の薬剤を供給するように構成される。
【００１３】
最終的に投薬を不能化する特徴が、薬剤供給カウンタを備えていない装置に用いられてもよい。したがって、本発明は、以下の構成の注入装置にまで拡張する。すなわち、注入装置は、細長いネジ加工されたプランジャと螺合して、薬剤を供給するために細長いプランジャを前進させる回転式駆動ギアと、付勢力に反して、静止位置から、回転式駆動ギアにラッチする、エネルギーが与えられた位置まで角度的に移動可能な回転式薬剤設定要素と、回転移動のために駆動ギアを保持し、開放するように構成されたトリガ機構とを備える。ここで、駆動プランジャおよび薬剤設定要素と関連付けられたそれぞれの当接部は、細長いプランジャが連続的な投薬の後に最終投薬位置に前進したときに、ブロック配置へと移動し、回転式薬剤設定要素がラッチされてエネルギーが与えられる状態へ復帰することを防止する。
【００１４】
当接部は、駆動プランジャ上、および薬剤設定要素上の、協働可能なそれぞれの突起を含み、該突起は、薬剤設定要素の回転を制限するように協働する。
【００１５】
注入装置は、薬剤を供給する（例えば、複数のコンポーネント薬剤を混合し、または、装置を始動もしくは準備する）前の初期ステップにおいて、互いに対して移動するように構成された、２つの相対移動可能な可動部を有するハウジングと、混入防止機構であって、該混入防止機構が開放される前の相対移動を防止する、混入防止機構とを備える。
【００１６】
混入防止機構は、典型的には、取り外し可能なパッケージを有し、該パッケージは、装置の少なくとも一部を収容し、パッケージを取り外す前における初期移動に対して可動部を保持するように構成される。
【００１７】
代替的に、混入防止機構は、初期移動を防止するように配置され、且つ、装置から取り外し可能なスペーサ要素を有する。
【００１８】
取り外し可能なスペーサ要素は、引き剥がしバンド、または引き剥がしラベルを含んでもよい。または、取り外し可能なスペーサ要素は、例えば成形によって、ハウジング部材のうちの１つと一体的に形成される。
【００１９】
本発明は、以下の構成の注入装置にまで拡張する。すなわち、注入装置は、薬剤を供給する動作の前の初期ステップにおいて、互いに対して移動するように構成された、２つの相対移動可能な可動部を有するハウジングと、混入防止機構であって、該混入防止機構が開放される前の相対移動を防止する、混入防止機構とを備える。
【００２０】
また、本発明は、以下の構成の注入装置にまで拡張する。すなわち、注入装置は、セットまたは準備され、且つ、駆動部がセットまたは準備されたときに、色の変化または他の視覚的特徴を表示する、外部から視認可能な色変更インジケータを備える。
【００２１】
本発明は、上記に説明されてきたが、特許請求の範囲、図面、または、上記もしくは以下に説明された、如何なる独創的な特徴のコンビネーションにまで拡張するものである。
【図面の簡単な説明】
【００２２】
【図１】薬剤を再調合するためのハウジングを格納する前の供給された形態としての、本発明の一実施形態に係る注入装置の斜視図である。
【図２】図１と同様の図であって、薬剤を再調合し、２つの薬剤が供給された後の装置を示す図である。
【図３】図１および図２に示す装置の前端部の拡大図であって、カラーが前方位置にある状態を示す。
【図４】デバイスの残りの部分からある部材が取り除かれた状態の駆動機構を示す図である。
【図５】（ａ）は駆動機構の分解図を示し、（ｂ）および（ｃ）は駆動機構の拡大図を示す。
【図６】プランジャとラチェット駆動シャフトの拡大図である。
【図７】プランジャの後端部の拡大図である。
【図８】ラチェット駆動シャフト、駆動プランジャ、および駆動ギアを通る断面図である。
【図９】ハウジングを図１に示す拡張位置から図２に示す位置まで移動させる前に取り外される必要のある、混入防止装置の種々の実施形態を示す図である。
【図１０】ハウジングを図１に示す拡張位置から図２に示す位置まで移動させる前に取り外される必要のある、混入防止装置の種々の実施形態を示す図である。
【図１１】ハウジングを図１に示す拡張位置から図２に示す位置まで移動させる前に取り外される必要のある、混入防止装置の種々の実施形態を示す図である。
【図１２】ハウジングを図１に示す拡張位置から図２に示す位置まで移動させる前に取り外される必要のある、混入防止装置の種々の実施形態を示す図である。
【図１３】混入防止装置の他の形態の拡大図である。
【図１４】図１３の構造の一部の拡大分解図である。
【図１５】（ａ）〜（ｃ）は、様々な動作ステージにおける、図１３および図１４に示す混入防止装置の拡大図である。
【発明を実施するための形態】
【００２３】
添付の図面を参照して、本発明の種々の実施形態を、一例としてのみ詳細に説明する。
【００２４】
図面に示された注入装置の実施形態は、例えば、出願人による先願である国際特許出願ＷＯ２００７／１３２１９１号公報に記載されているような、公知タイプのデュアルチャンバカートリッジにおいて、非混合形態の２つのコンポーネントとして供給される薬剤用に設計されたものである。提示されているように、カートリッジは、二つの分離されたチャンバを画定する二つの離隔した栓（ｂｕｎｇ）を有し、薬剤は、後方の栓を前方へ移動させることによって混合される。これにより、前方の栓が、バイパススロットを外部に露出させて開放するように前方へ移動し、その後に、後方チャンバの流体を前方チャンバへ移動させ、その物質と混合させる。このような装置においては、標準的に計量された薬剤が要求された後、薬剤を再調合するために、初期の長手方向への移動が必要となる。以下に説明する実施形態においては、薬剤は全て均一の量であるが、装置は、変化する量の薬剤を供給する機能を提供するように、容易に修正され得ることが理解されよう。
【００２５】
図１を参照して、注入装置は、後部１０と、該後部１０の縮径された位置に伸縮自在に設置された前部１２とからなるハウジングを備える。駆動ユニット１４は、ハウジング後部１０の後端部に固定され、自らの後端部において、装置を始動（ｃｏｃｋ）させるように捩じられた回転可能なダイヤル１６を備える。そして、アクチュエータボタン１８は、装置を起動するために前方へスライドされる。回転可能なダイヤルは、駆動本体の外郭１５の後方リム１３の内側に延在する前方フランジ１１を有する。後方リムは、不透明の材料からなり、３つの透明ウィンドウ１７から離隔している。ダイヤルのフランジ１１は、色付けされたパッチ１１’を有し、該パッチ１１’は、ダイヤル１６が始動された位置にあるときに、準備が完了した旨を表す色変化を示すために、ウィンドウ１７と整列するように配置される。
【００２６】
ハウジング前部１２の前端部には、バネによって付勢されたカラー２０が設けられている。このカラー２０は、検査ウィンドウを通してカートリッジ１９の中身を視認するために、該カラー２０を捩り、且つ、検査ウィンドウを外部に露出させるようにバネ２１の影響の下で前方に向けて開放することを可能とする、差し込みインターロックを有する。また、カラー２０は、カートリッジの前端部においてニードルハブ（図示せず）がネジ部２２に取り付けられた場合に、該ニードルハブを覆う。
【００２７】
図４〜図８を参照して、駆動機構について、以下により詳細に説明する。ダイヤル１６は、ラチェット駆動シャフト２４の後端部に固定されており、これとともに回転する。ラチェット駆動シャフトは、その前端部において、駆動ギア３２上に設けられた、内方側で対向する対応のラッチ歯部または凹部３０（図８を参照のこと）と協働するラチェット歯部２６を含む（図５（ａ）、（ｃ）、および図６を参照のこと）。捩りバネ３４は、その後端部がダイヤル１６に接続されており、その前端部が、装置のハウジングに固定された固定支持カラー３６に接続されている。ラチェット駆動シャフト２４は、固定支持カラー３６内において回転自在であるが、ラチェット駆動シャフト２４に設けられた外側リブ３７と、支持カラー３６の内部に設けられた内側リブ３９との相互作用によって、１回転以下の回転に規制される。本体１０は、内方に向かう一対のスプライン（図示せず）を有し、該スプラインは、プランジャ４４のネジ部４２に形成された、対応する長手方向に延びる溝４０と協働する。これにより、プランジャは、回転に対しては保持されるが、長手方向に移動することができる。
【００２８】
駆動ギア３２は、その表面の周囲に１２０°の間隔で、以下に述べるように薬剤カウンタ機構をインクリメントするための３対の歯部４６を保持する。歯部４６の前方において、駆動ギアは、アクチュエータボタン１８の前端部上のラッチスプライン５０と協働する複数のラッチ凹部４８を有する。アクチュエータボタン１８は、ハウジングに対して傾斜して固定され、スプライン５０がラッチ凹部４８と係合して駆動ギアの回転を規制する後方位置から、駆動ギアが開放される前方位置までの間を、軸方向に移動可能である。
【００２９】
駆動ギアは、プランジャ４４のネジ部４２と螺合するネジ状孔５２を含み、これにより、駆動ギアの回転によって、プランジャがプリセット量だけ前進する。プランジャ上のネジ部および孔は、例えば４条ネジのような、多条ネジである。
【００３０】
使用に際しては、捩りバネ３４を捩じり、且つ駆動ギア４６上の各ラッチ凹部３０にラチェット歯部２６がロックされるまでラチェット駆動シャフト２４を回転させるための１／３回転を通して、ダイヤル１６を捩じることによって、本装置は、始動またはエネルギーを与えられる。この位置おける駆動ギア３２は、アクチュエータボタン上のスプライン５０によって、回転不可能に保持される。この状態においては、ステータスの変化は、ダイヤル１６の近傍のウィンドウ１７における色の変化によって検知される。アクチュエータボタン１８を前方に押し込むことによって、駆動ギア３２が開放され、これにより、該駆動ギア３２は、捩りバネ３４の影響の下、ラチェット駆動シャフト２４とともに回転する。その結果、プランジャ４４が前進することとなる。
【００３１】
カウンタホイール５４は、互いに離隔して配置された取り付けプレート５６によって、駆動ギア３２と同心状に取り付けられる。これら取り付けプレート５６は、カウンタホイール５４の内側に設けられた内側歯状トラック６０と係合する遊び歯車５８も取り付ける。プレート５６は、ハウジングに対して傾斜して固定され、駆動ギア３２が回転するにつれて、歯部４６は、遊び歯車５８の歯部を作動させる。この動作が、次いで、薬剤の供給を検知するとともに累積カウントを維持するために、ホイールを、一定のインクリメントによって回転させることとなる。
【００３２】
図７に示されているように、プランジャの後端部には、２つの突起６０が設けられている。これら突起６０は、プランジャがその最大前進位置に達したときに、ラチェット駆動シャフト２４の内面上に設けられた突起６２と係合し、または、突起６２間を移動する。これにより、プランジャに対するラチェット駆動シャフトのさらなる回転が、規制または防止される。これは、プランジャの前方へのさらなる移動を阻止するのみならず、ラチェット駆動シャフトがハウジングに対して回転してしまうことを防ぐ。このことは、ダイヤル１６が回転不可能にロックされ、少しの反動に曝されることを意味する。
【００３３】
図１および図２に示されているように、注入用装置を準備するために、ハウジング前部１２は、ハウジング後部１０にスナップ式でロックされるために、後方にスライドする必要がある。このように動作するに際し、この動作によって、プランジャが、薬剤の混合に影響を与えるように、デュアルチャンバカートリッジ２１内の後方栓（図示せず）に作用することとなる。投入証拠の特徴を提供し、また、不注意のまたは不完全な混合または再調合を防止するために、図１〜図８に示す装置は、混入防止の構成を備えていてもよい。したがって、図９において、注入装置は、樹脂または類似の取り外し可能なケーシングの半体７２、７４に収容されている。このケーシングの半体７２、７４には、凹部７６が設けられており、この凹部７６の対向する端部が、ハウジングの前部および後部の伸縮移動を防止する。
【００３４】
図１０において、分離された樹脂コンポーネント７６が、ハウジング後部１０の周囲に熱着されており、これにより、該樹脂コンポーネントが取り外されるまで、ハウジング部材の伸縮移動が防止される。
【００３５】
図１１において、剥離可能な糊付きラベル７８が、伸縮移動を防止するために装置の周囲に巻き付けられている。
【００３６】
図１２において、成形引き剥がし部８０は、ハウジング前部１２と一体的に成形され、且つ引き剥がし可能に構成されている。ハウジング前部の引き剥がし部間における隣接領域は、鋭いエッジが外部に露出することを防ぐための凹部８２を有してもよい。
【００３７】
図１３〜図１５を参照して、この構成においては、突出脚８４が、ハウジング後部１０上に形成されており、ハウジング前部１２の周縁部に形成されたスロット８６と協働する。この構成においては、スロット８６は、カム面８８を有するように形成されており、このカム面８８を、弾性戻り止め動作（図１５（ａ）〜図１５（ｂ））を提供するために、初期の回転動作の間に、脚８４の前部が乗り越える。カム面８８を乗り越えると、脚８４の前部は、スロット８６の主部と整列し、これにより、ハウジング前部１２は、ハウジング後部における対向面と接触するように前後方向にスライド可能となる。脚８４は、その後端部に向かうにつれて拡幅しており、これにより、図２（図１５（ｃ））に示す伸縮位置まで移動した場合に、スロット内に復帰不可能にスナップされる。その結果、ハウジング前部１２が前方にスライドすることが不可能となる。
【図１】
2013512714.tif 000003
【図２】
2013512714.tif 000004
【図３】
2013512714.tif 000005
【図４】
2013512714.tif 000006
【図５（ａ）】
2013512714.tif 000007
【図５（ｂ）】
2013512714.tif 000008
【図５（ｃ）】
2013512714.tif 000009
【図６】
2013512714.tif 000010
【図７】
2013512714.tif 000011
【図８】
2013512714.tif 000012
【図９】
2013512714.tif 000013
【図１０】
2013512714.tif 000014
【図１１】
2013512714.tif 000015
【図１２】
2013512714.tif 000016
【図１３】
2013512714.tif 000017
【図１４】
2013512714.tif 000018
【図１５（ａ）】
2013512714.tif 000019
【図１５（ｂ）】
2013512714.tif 000020
【図１５（ｃ）】
2013512714.tif 000021
【国際調査報告】
2013512714.tif 000022
2013512714.tif 000023
2013512714.tif 000024
2013512714.tif 000025
2013512714.tif 000026
2013512714.tif 000027